(57)【要約】【課題】模様付和紙が竿表面に綺麗に巻き付けられ意匠的にも品質的にも優れ、厚いコーティング層で保護され、竿の撓み等にもしなやかに馴染み耐久性を高めた釣竿の製造方法と釣竿を提供する。【解決手段】テーパー形状に裁断した模様のある模様付和紙Ｕ１，Ｕ２・・Ｕｎをテーパー竿部１０Ａに螺旋状に巻回して接着剤Ｓで貼着され、上記模様付和紙の表面にエポキシ樹脂等の合成樹脂Ｇの薄い塗布を繰り返してコーティング層Ｋを形成したものである。【選択図】図３
2006149300.tif 000002
【特許請求の範囲】
【請求項１】
テーパー形状に裁断した模様付和紙をテーパー竿部に螺旋状に巻回して接着剤で貼着し、上記模様付和紙の表面にエポキシ樹脂等の合成樹脂を塗布することによりコーティング層を形成したことを特徴とする釣竿。
【請求項２】
テーパー竿部の表面形状に合わせてテーパー形状に裁断した模様付和紙をテーパー竿部に巻き付けて接着剤で貼着し、上記模様付和紙の表面にエポキシ樹脂等の合成樹脂を塗布することによりコーティング層を形成したことを特徴とする釣竿。
【請求項３】
竿の握部の表面形状に合わせて矩形に裁断した模様付和紙を竿の握部に巻き付けて接着剤で貼着し、上記模様付和紙の表面にエポキシ樹脂等の合成樹脂を塗布することによりコーティング層を形成したことを特徴とする釣竿。
【請求項４】
模様付和紙をテーパー形状に裁断し、上記模様付和紙をテーパー竿部に螺旋状に巻回するとともに接着剤で貼着する工程と、上記模様付和紙の表面にエポキシ樹脂等の合成樹脂を塗布するコーティング工程と、を具備したことを特徴とする釣竿の製造方法。
【請求項５】
模様付和紙をテーパー竿部の表面形状に合わせてテーパー形状に裁断し、上記模様付和紙をテーパー竿部に巻き付けるとともに接着剤で貼着する工程と、上記模様付和紙の表面にエポキシ樹脂等の合成樹脂を塗布するコーティング工程と、を具備したことを特徴とする釣竿の製造方法。
【請求項６】
模様付和紙を竿の握部の形状に合わせて矩形に裁断し、上記模様付和紙を竿の握部に巻き付けるとともに接着剤で貼着する工程と、上記模様付和紙の表面にエポキシ樹脂等の合成樹脂を塗布するコーティング工程と、を具備したことを特徴とする釣竿の製造方法。
【発明の詳細な説明】
【技術分野】
【０００１】
本発明は、竿の表面を和紙で装飾した釣竿に係り、特に、表面装飾和紙が竿表面に綺麗にコーティングされ竿の撓みにもしなやかに馴染むようにした釣竿と釣竿の製造方法に関するものである。
【背景技術】
【０００２】
竿の表面を装飾した釣竿は、例えば、次のようなものがある。強化繊維樹脂から成る釣竿であって、竿を形成する強化繊維層の表面に、所望の模様を印刷した和紙を巻装した和紙層を設け、この和紙層表面に、ガラス繊維に合成樹脂を含浸させたプリプレグから成るガラス繊維層を設けた釣竿である。この釣竿によると、加工が楽に行えながら、剥離の問題なく、しかも自由なマーク及び模様の選択ができ、意匠的に優れた釣竿となるというものである。（例えば、特許文献１参照。）。
【０００３】
また、低コストで生産性も高く且つ高級感にあふれる表面の模様、絵柄を有する釣竿としたものが提供されている。その構成について、元竿は、長手方向中央付近において元竿の周面に配置された刺繍布と、刺繍布上に塗布されるクリア層とを有している。この刺繍布はナイロン繊維、レーヨン繊維等の合成繊維等によって織り込まれた布状部材である。この刺繍布には、合成繊維の表面にアルミニウムやチタン等の金属を蒸着させ糸状に裁断した金属蒸着樹脂糸によって模様や文字が刺繍されている。また、クリア層はエポキシ樹脂等の透明な合成樹脂から構成されている。刺繍布と共に元竿の周面をコーティングしているものである。（例えば、特許文献２参照。）。
【０００４】
【特許文献１】実開昭５８−８５９６１号公報
【特許文献２】特開２００１−２８６２３９号公報
【発明の開示】
【発明が解決しようとする課題】
【０００５】
上記従来の釣竿の構成によると次のような問題があった。まず、竿を形成する強化繊維層の表面に、模様を印刷した和紙を巻装した和紙層を設け、この和紙層表面に、ガラス繊維に合成樹脂を含浸させたガラス繊維層を設けたものでは、魚釣り時に竿が大きくしなうと、和紙層やガラス繊維層も大きくしなつて延びや縮みの歪みが起きるから、特に和紙層がひび割れして破れてしまう。また、ガラス繊維層は、本質的にガラスと同質であるためその硬度が硬く、大きな曲げに対してひび割れし易いという問題があった。このため、釣竿を新品として購入時の表面模様の品質は、釣竿の使用とともに失われていた。
【０００６】
他方、元竿の周面に配置した刺繍布とこの表面にクリア層とを塗布された釣竿においては、刺繍布がナイロン繊維やレーヨン繊維等の合成繊維等であり、刺繍布の表面にアルミニウムやチタン等の金属を蒸着させて糸状に裁断した金属蒸着樹脂糸によるものである。このために、製造工程が複雑になって加工コストと手間を要するという問題がある。更に、刺繍布の表面に金属を蒸着させて糸状に裁断した糸で模様、文字を刺繍しているから、釣竿の表面には、エポキシ樹脂等で処理しても模様、文字の凹凸が残ってしまい、完全に除去できず、釣竿の使用感覚を悪くするし、耐久性が乏しいという問題があった。
【０００７】
本発明はこのような点に基づいてなされたものでその目的とするところは、模様付和紙が竿表面に綺麗に巻き付けられ意匠的にも品質的にも優れ、厚いコーティング層で保護され、竿の撓みにもしなやかに馴染み耐久性を高めた釣竿の製造方法と釣竿を提供することにある。
【課題を解決するための手段】
【０００８】
上記目的を達成するべく本願発明の請求項１による釣竿は、テーパー形状に裁断した模様付和紙をテーパー竿部に螺旋状に巻回して接着剤で貼着し、上記模様付和紙の表面にエポキシ樹脂等の合成樹脂を塗布することによりコーティング層を形成したことを特徴とするものである。
【０００９】
本発明の請求項２による釣竿は、テーパー竿部の表面形状に合わせてテーパー形状に裁断した模様付和紙をテーパー竿部に巻き付けて接着剤で貼着し、上記模様付和紙の表面にエポキシ樹脂等の合成樹脂を塗布することによりコーティング層を形成したことを特徴とするものである。
【００１０】
本発明の請求項３による釣竿は、竿の握部の表面形状に合わせて矩形に裁断した模様付和紙を竿の握部に巻き付けて接着剤で貼着し、上記模様付和紙の表面にエポキシ樹脂等の合成樹脂を塗布することによりコーティング層を形成したことを特徴とするものである。  
【００１１】
本発明の請求項４による釣竿の製造方法は、模様付和紙をテーパー形状に裁断し、上記模様付和紙をテーパー竿部に螺旋状に巻回するとともに接着剤で貼着する工程と、上記模様付和紙の表面にエポキシ樹脂等の合成樹脂を塗布するコーティング工程と、を具備したことを特徴とするものである。
【００１２】
本発明の請求項５による釣竿の製造方法は、模様付和紙をテーパー竿部の表面形状に合わせてテーパー形状に裁断し、上記模様付和紙をテーパー竿部に巻き付けるとともに接着剤で貼着する工程と、上記模様付和紙の表面にエポキシ樹脂等の合成樹脂を塗布するコーティング工程と、を具備したことを特徴とするものである。
【００１３】
本発明の請求項６による釣竿の製造方法は、模様付和紙を竿の握部の形状に合わせて矩形に裁断し、上記模様付和紙を竿の握部に巻き付けるとともに接着剤で貼着する工程と、上記模様付和紙の表面にエポキシ樹脂等の合成樹脂を塗布するコーティング工程と、を具備したことを特徴とするものである。
【００１４】
すなわち、本願発明による釣竿と釣竿の製造方法は、模様付和紙をテーパー形状に裁断し、上記模様付和紙をテーパー竿部に螺旋状に巻回するとともに接着剤で貼着し、上記模様付和紙の表面にエポキシ樹脂等の合成樹脂をコーティングして所定の厚さを有するコーティング層を形成するものである。上記模様付和紙は伸縮性があり、テーパー竿部に螺旋状に巻回する際、継ぎ目が見えないように綺麗に巻き付けることができる。模様付和紙は繊維が絡み合った構造を有するものであり、模様付和紙の表面はコーティング層で保護されているので、竿のしなり・撓み・ねじれ等によっても追従性が良く馴染んで、破れたりひび割れたりせず、耐久性の高い釣竿となる。
【００１５】
模様付和紙を竿の握部又はテーパー竿部の形状に合わせて矩形又はテーパー状に裁断し、この模様付和紙を握部又はテーパー竿部に巻き付けるようにすることもできる。これにより、竿の握部又はテーパー竿部表面が模様付和紙で綺麗に巻装されコーティング層で保護されたものとなり、上記と同様に継ぎ目が見えないように綺麗に巻き付けることができ、竿のしなり・撓みにも馴染んで破れたりひび割れたりせず耐久性の高い釣竿となる。
【発明の効果】
【００１６】
本発明の釣竿と釣竿の製造方法によると、模様付和紙が竿表面に巻き付けられて綺麗な外観が得られるとともに、竿のしなり・撓みにも馴染む耐久性のある釣竿が得られる。
【発明を実施するための最良の形態】
【００１７】
以下、図１乃至図２１を参照して本発明の実施の形態を説明する。図１は釣竿の構成を示す側面図、図２は釣竿のテーパー竿部の拡大側面図、図３は釣竿のテーパー竿部の拡大断面図、図４はテーパー竿部に巻装される模様付和紙の形状図、図５は握部の拡大側面図、図６は握部の拡大断面図、図７は握部に巻装される模様付和紙の形状図、図８〜図１４はテーパー竿部の製造工程図、図１５〜図２１は握部の製造工程図である。
【００１８】
以下、図１〜図７を参照して本発明の第１の実施の形態を説明する。釣竿１００は、カーボン製又はグラスソリッド製又はＦＲＰ樹脂製のものが使用され、全長がテーパー状をなすテーパー竿部１０Ａとして形成され、手元側は円筒形をなす握部１０Ｂとして形成されている。上記テーパー竿部１０Ａには、模様付和紙が竿表面に巻き付けられる。すなわち、図４に示すように、一枚の模様付和紙（例えば、京和紙や友禅和紙）Ｕを用意し、この始端幅を０，５ｍｍとし、終端幅を０．７５ｍｍとし、この２点間を結ぶ直線を裁断線Ｃ１とする。これに続く二段目の始端幅を０．７５ｍｍとし、終端幅を１．０ｍｍとし、裁断線Ｃ２とする。このように、０．２５ｍｍずつ終端幅を拡げて裁断して最終端幅を３，０ｃｍとした多数枚のテーパー形状に裁断した模様Ｍを有する模様付和紙Ｕ１，Ｕ２，Ｕ３・・Ｕｎを得る。この模様付和紙Ｕ１，Ｕ２，Ｕ３・・Ｕｎを、図２に示すように、上記テーパー竿部１０Ａに螺旋状に裁断辺が重なったり、隙間ができないように巻き付け接着剤Ｓで貼着される。模様付和紙Ｕ１，Ｕ２，Ｕ３・・Ｕｎは繊維が絡み合っていて伸縮性があり、且つ、破れにくいものであり、このため裁断辺をぴったり合わせた巻き付けが可能である。
【００１９】
次に、図３に示すように、上記模様付和紙Ｕ１，Ｕ２，Ｕ３・・Ｕｎの表面に色落防止剤１（例えば、商品名：カラープリザーバー）が塗布・乾燥される。これは、模様付和紙Ｕ１の紫外線による褪色を防止するためである。上記模様付和紙Ｕ１の表面にエポキシ樹脂等の合成樹脂Ｇを薄く塗布するコーティングと乾燥を数回から１０回程度繰り返してコーティング層Ｋを形成する。使用する合成樹脂Ｇとしてはエポキシ樹脂が最適であるが、ウレタン樹脂等他の透明な合成樹脂を使用しても良い。上記コーティング層Ｋの形成により、合成樹脂Ｇが模様付和紙Ｕ１に浸透してテーパー竿部１０Ａの表面に強固に固着される。尚、合成樹脂Ｇを薄く塗布するコーティンクと乾燥を繰り返し行うとテーパー竿部１０Ａの表面に凹凸ができる。そこで、乾燥した表面をサンドペーパーで磨いて平滑とし、次に、光沢を出すために再度エポキシ樹脂等の合成樹脂Ｇを薄くコーティングして仕上げられる。
【００２０】
また、図７に示す第２の実施の形態のように所定の形状に裁断した模様付和紙Ｕを釣竿１００における握部１０Ｂに適用することもできる。まず、模様付和紙Ｕを使用し、握部１０Ｂの形状に合わせて矩形の模様付和紙Ｕ１０に裁断する。図５及び図６に示すように、上記模様付和紙Ｕ１０を握部１０Ｂに巻き付け接着剤Ｓで貼着する。そして、上記模様付和紙の表面に色落防止剤１を塗布・乾燥させ、更に、上記模様付和紙Ｕ１０の表面にエポキシ樹脂等の合成樹脂Ｇを塗布してコーティング層Ｋを形成し、乾燥した表面をサンドペーパーで磨いて平滑とし、再度コーティングして仕上げられている。
【００２１】
また、図示はしないが第３の実施の形態のように、模様付和紙Ｕをテーパー竿部１０Ａに適用することもできる。すなわち、模様付和紙Ｕを、釣竿１００におけるテーパー竿部１０Ａの形状に合わせてテーパー状の模様付和紙Ｕ１０に裁断する。上記模様付和紙Ｕ１０をテーパー竿部１０Ａに巻き付け接着剤Ｓで貼着する。そして、上記模様付和紙の表面に色落防止剤１を塗布・乾燥させ、更に、上記模様付和紙Ｕ１０の表面にエポキシ樹脂等の合成樹脂Ｇを塗布してコーティング層Ｋを形成し、乾燥した表面をサンドペーパーで磨いて平滑とし、再度コーティングして仕上げられている。
【００２２】
上記のように、テーパー形状に裁断した模様Ｍを有する模様付和紙Ｕ１をテーパー竿部１０Ａに螺旋状に巻き付け接着剤Ｓで貼着し上記模様付和紙Ｕ１の表面に色落防止剤１を塗布・乾燥させ、更に、上記模様付和紙Ｕ１の表面にエポキシ樹脂等の合成樹脂Ｇの薄い塗布によるコーティングと乾燥を繰り返してコーティング層Ｋを形成した場合には、模様付和紙Ｕ１がテーパー竿部１０Ａの表面に巻き付けられ、その外側にエポキシ樹脂等の合成樹脂Ｇのコーティング層Ｋが形成されたものとなり、模様付和紙による綺麗な外観が得られるとともに、竿のしなり・撓みにも馴染む耐久性のある釣竿が得られる。更に、握部１０Ｂ又はテーパー竿部１０Ａの形状に合わせて矩形又はテーパー状に模様付和紙Ｕ１０を裁断し、上記模様付和紙が握部１０Ｂ又はテーパー竿部１０Ａに巻き付ける手法を採った場合にも、握部１０Ｂ又はテーパー竿部１０Ａの表面が模様付和紙により綺麗に巻装されコーティング層Ｋで保護されたものとなり、模様付和紙による綺麗な外観が得られるとともに、竿のしなり・撓み・ねじれ等にも馴染む耐久性のある釣竿が得られる。
【００２３】
次に、図４、図８〜図１４を参照して、模様付和紙Ｕ１，Ｕ２，Ｕ３・・Ｕｎをテーパー竿部１０Ａに巻装する製造工程を詳細に説明する。まず、例えばＡ４版の模様付和紙Ｕを用意し、図４に示すように、この始端幅を０，５ｍｍにスケールで測定し、終端幅を０．７５ｍｍに測定し、この２点間を直線で結んで裁断線Ｃ１を引く。次に、二段目の始端幅を０．７５ｍｍに測定し、終端幅を１．０ｍｍに測定し、この２点間に裁断線Ｃ２を引く。このように、０．２５ｍｍずつ終端幅を拡げて裁断線を引き最終端幅を３，０ｃｍとした裁断線を引く（ステップＳ１）。尚、竿のテーパー角度は竿の部分により異なり一定ではないので、このテーパー角度に合わせて上記寸法を設定する。これにより、隙間のない巻回が可能となる。次に、図８に示すように、上記模様付和紙片Ｕに引いた裁断線Ｃ１，Ｃ２，Ｃ３・・Ｃｎに沿ってカッターと定規で裁断し、テーパー状に裁断した多数枚の模様Ｍを有する模様付和紙片Ｕ１，Ｕ２，Ｕ３・・Ｕｎを得る（ステップＳ２）。この時、隣接して接合し合う模様付和紙片Ｕ１，Ｕ２の両端幅が正確に合うように確認し、大きさ順に並べる。これで模様付和紙片Ｕ１，Ｕ２，Ｕ３・・Ｕｎは連続したテーパー状のものができ、これを順次テーパー竿部１０Ａの細い部分から太い部分に巻回して行くことで隙間なく模様付和紙を巻き付けることができ、連続した模様Ｍによる綺麗な外観が得られる。
【００２４】
続いて、図９に示すように、テーパー竿部１０Ａの表面をサンドペーパー３で磨いて滑らかにする竿の下地準備をする（ステップＳ３）。次に、図１０に示すように、上記幅の狭い模様付和紙Ｕ１をテーパー竿部１０Ａの先端側から螺旋状に巻回するとともに接着剤Ｓで貼着する（ステップＳ４）。この時、模様付和紙Ｕ１の接合部が重なったり、隙間ができないように、模様付和紙片Ｕ１，Ｕ２，Ｕ３・・Ｕｎを順番に巻き上げる。続いて、図１１において、テーパー竿部１０Ａに巻き上げた模様付和紙片Ｕ１，Ｕ２，Ｕ３・・Ｕｎの表面に筆５で色落防止剤１を塗布する（ステップＳ５）。この色落防止剤１で模様付和紙片Ｕ１，Ｕ２，Ｕ３・・Ｕｎが紫外線で変色しないように処置する。
【００２５】
続いて、図１２に示すように、テーパー竿部１０Ａに巻き付けられた模様付和紙片Ｕ１，Ｕ２，Ｕ３…Ｕｎの表面にエポキシ樹脂等の合成樹脂Ｇを薄く塗布し、６時間ほど回転乾燥させる工程を１０回、１０日間程度行いコーティング層Ｋを形成する（ステップＳ６）。エポキシ樹脂等の合成樹脂Ｇは柔らかいので、繰り返しコーティングすることで所定の厚さのコーティング層を形成する。次に、図１３に示すように、テーパー竿部１０Ａに巻き付けた模様付和紙片Ｕ１，Ｕ２，Ｕ３・・Ｕｎの表面にコーティングした合成樹脂Ｇの凹凸をサンドペーパーにて研磨し、表面を平滑に仕上げする（ステップＳ７）。最後にサンドペーパーにて研磨した為に、表面に艶がなくなっているので、図１４に示すように、コーティング層Ｋの表面にエポキシ樹脂等の合成樹脂Ｇを薄く塗布し、仕上げコーティングする（ステップＳ８）。
【００２６】
更に、図７、図１５〜図２１を参照して、模様付和紙Ｕ１０を握部１０Ｂに巻装する製造工程を詳細に説明する。まず、図７に示すように、一枚の模様付和紙Ｕを用意し、釣竿１００における握部１０Ｂの表面形状に合わせて矩形の裁断線を引く（ステップＳ１）。次に、図１５に示すように、上記模様付和紙Ｕに引いた裁断線Ｃ１に沿ってカッターと定規で裁断し、模様付和紙Ｕ１０を得る（ステップＳ２）。次に、図１６に示すように、握部１０Ｂの表面をサンドペーパー３で磨いて滑らかにする竿の下地準備をする（ステップＳ３）。続いて、図１７に示すように、上記模様付和紙Ｕ１０を握部１０Ｂに包み込むように巻き付けるとともに接着剤Ｓで貼着する（ステップＳ４）。この時、模様付和紙Ｕ１０の接合部が重なったり、隙間ができないように巻き付ける。続いて、図１８において、握部１０Ｂに巻き付けた模様付和紙Ｕ１０の表面に筆５で色落防止剤１を塗布する（ステップＳ５）。この色落防止剤１で模様付和紙片Ｕ１０が紫外線で変色しないように処置する。
【００２７】
続いて、図１９に示すように、握部１０Ｂに巻き付けた模様付和紙Ｕ１０の表面に塗布した色落防止剤１が乾燥したら、模様付和紙片Ｕ１０の表面にエポキシ樹脂等の合成樹脂Ｇを薄く塗布してコーティングし、６時間ほど回転乾燥させる工程を１０回、１０日間程度行いコーティング層Ｋを形成する（ステップＳ６）。次に、図２０に示すように、模様付和紙Ｕ１０表面の合成樹脂Ｇの凹凸をサンドペーパー３にて研磨する（ステップＳ７）。最後に、図２１に示すように、エポキシ樹脂等の合成樹脂Ｇを薄く塗布して仕上げコーティングする（ステップＳ８）。
【００２８】
更に、図示はしないが、握部１０Ｂに代えて、テーパー竿部１０Ａを上記と同様の製造方法で製造することもできる。すなわち、模様付和紙Ｕを、釣竿１００におけるテーパー竿部１０Ａの形状に合わせてテーパー状の模様付和紙Ｕ１０に裁断する。後は、上記握部１０Ｂに模様付和紙を巻き付けて接着剤で貼着する工程と、エポキシ樹脂等の合成樹脂Ｇを薄く塗布し、６時間ほど回転乾燥させる工程を１０回、１０日間程度行いコーティング層Ｋを形成する工程は、上記の実施の形態と同様であり、その説明を省略する。
【００２９】
上記釣竿１００の製造方法によると、テーパー形状に裁断した模様付和紙をテーパー竿部に螺旋状に巻回することにより、テーパー竿に継ぎ目が出ないように綺麗に巻き付けることができる。これにより、テーパー竿部表面が模様付和紙により綺麗に仕上げられ、コーティング層で保護されることになる。また、模様付和紙を使用したので、紙の繊維が絡み合い伸縮して追従性が良いので、竿のしなり・撓みにも馴染んで破れたりひび割れせず耐久性が高められる。更に、模様付和紙を竿の握部又はテーパー竿部の形状に合わせて矩形又はテーパー状に裁断し、上記模様付和紙を竿の握部又はテーパー竿部に巻き付ける手法を採ることもできる。これにより、竿の握部又はテーパー竿部表面が模様付和紙により綺麗に仕上げられ、多層の厚いコーティング層で保護されることになる。
【００３０】
尚、本発明は上記各実施の形態に示す釣竿の製造方法に限定されるものではない。例えば、模様付和紙Ｕ１，Ｕ２・・Ｕｎの形状は、上記形状に限定されず、適宜任意形状に裁断されたものであっても良い。例えば、等幅のテープ状に裁断したものを巻回しても良い。また、一枚の模様付和紙Ｕ１０を竿形状に合わせて適宜形状に裁断し、上記模様付和紙をテーパー竿部１０Ａや握部１０Ｂに巻き付ける構成としても良いし、複数に分割した模様付和紙を部分的にテーパー竿部１０Ａや握部１０Ｂに巻き付ける構成としても良い。また、模様付和紙表面に色落防止剤１を塗布するか否かは任意である。これらの実施の形態によるときも、上記実施の形態と同様な作用・効果が得られる。
【産業上の利用可能性】
【００３１】
本発明は、釣竿として一本ものの竿の例を挙げて説明したが、それに限定されるものではなく、例えばつなぎ竿等様々な形態の釣竿に適用可能である。
【図面の簡単な説明】
【００３２】
【図１】本発明の第１の実施の形態を示す図で、釣竿の側面図である。
【図２】本発明の第１の実施の形態を示す図で、テーパー竿部の拡大側面図である。
【図３】本発明の第１の実施の形態を示す図で、テーパー竿部の拡大断面図である。
【図４】本発明の第１の実施の形態を示す図で、テーパー竿部に巻装する模様付和紙の裁断形状図である。
【図５】本発明の第２の実施の形態を示す図で、釣竿の握部の拡大側面図である。
【図６】本発明の第２の実施の形態を示す図で、釣竿の握部の拡大断面図である。
【図７】本発明の第２の実施の形態を示す図で、握部に巻装する模様付和紙の裁断形状図である。
【図８】模様付和紙をテーパー竿部に巻装する製造工程図である。
【図９】模様付和紙をテーパー竿部に巻装する製造工程図である。
【図１０】模様付和紙をテーパー竿部に巻装する製造工程図である。
【図１１】模様付和紙をテーパー竿部に巻装する製造工程図である。
【図１２】模様付和紙をテーパー竿部に巻装する製造工程図である。
【図１３】模様付和紙をテーパー竿部に巻装する製造工程図である。
【図１４】模様付和紙をテーパー竿部に巻装する製造工程図である。
【図１５】模様付和紙を握部に巻装する製造工程図である。
【図１６】模様付和紙を握部に巻装する製造工程図である。
【図１７】模様付和紙を握部に巻装する製造工程図である。
【図１８】模様付和紙を握部に巻装する製造工程図である。
【図１９】模様付和紙を握部に巻装する製造工程図である。
【図２０】模様付和紙を握部に巻装する製造工程図である。
【図２１】模様付和紙を握部に巻装する製造工程図である。
【符号の説明】
【００３３】
１                色落防止剤
３                サンドペーパー
５                筆
１０Ａ            テーパー竿部
１０Ｂ            握部
１００            釣竿
Ｃ１・・Ｃｎ      裁断線
Ｇ                合成樹脂
Ｋ                コーティング層
Ｓ                接着剤
Ｕ１，Ｕ２・・Ｕｎ模様付和紙
Ｕ１０            模様付和紙
Ｓ１〜Ｓ８        製造工程のステップ
【図１】
2006149300.tif 000003
【図２】
2006149300.tif 000004
【図３】
2006149300.tif 000005
【図４】
2006149300.tif 000006
【図５】
2006149300.tif 000007
【図６】
2006149300.tif 000008
【図７】
2006149300.tif 000009
【図８】
2006149300.tif 000010
【図９】
2006149300.tif 000011
【図１０】
2006149300.tif 000012
【図１１】
2006149300.tif 000013
【図１２】
2006149300.tif 000014
【図１３】
2006149300.tif 000015
【図１４】
2006149300.tif 000016
【図１５】
2006149300.tif 000017
【図１６】
2006149300.tif 000018
【図１７】
2006149300.tif 000019
【図１８】
2006149300.tif 000020
【図１９】
2006149300.tif 000021
【図２０】
2006149300.tif 000022
【図２１】
2006149300.tif 000023